(57)【要約】【課題】コスト増大を抑制し、情報処理装置のモジュラージャックの位置にあわせて任意の位置に設定可能で、破損時に容易に修理可能となる情報処理装置に取り付け可能なモジュラープラグのロック解除部材を提供する。【解決手段】情報処理装置３に取り付けられたモジュラージャック７に対するモジュラープラグ５の抜け出しを不能とする抜け止め手段６のロック状態を解除するロック解除部材１０であって、情報処理装置３に取り付けるための取付け面１２を有する本体部１と、この本体部１に連続して形成され、モジュラープラグ５の抜け止め手段６のロック状態を解除するためのロック解除部２と、このロック解除部２に連続して形成され、ロック解除部材１０を情報処理装置３から取り外すためのリリースレバー１１とを有する。【選択図】  図１
2011060652.tif 000002
【特許請求の範囲】
【請求項１】
情報処理装置に取り付けられたモジュラージャックに対するモジュラープラグの抜け出しを不能とする抜け止め手段のロック状態を解除するロック解除部材であって、
前記情報処理装置に取り付けるための取付け面を有する本体部と、
前記本体部に連続して形成され、前記モジュラープラグの抜け止め手段のロック状態を解除するためのロック解除部と、
前記ロック解除部に連続して形成され、前記ロック解除部材を前記情報処理装置から取り外すためのリリースレバーと
を有する情報処理装置に取り付け可能なモジュラープラグのロック解除部材。
【請求項２】
前記ロック解除部は、前記リリースレバーを引いて前記ロック解除部材を取り外す際に、前記モジュラープラグの抜け止め手段に当接し、前記モジュラープラグのロック状態を解除する
ことを特徴とする請求項１に記載のロック解除部材。
【請求項３】
前記ロック解除部は、前記モジュラープラグの抜け止め手段を押し上げるように傾斜している
ことを特徴とする請求項２に記載のロック解除部材。
【請求項４】
前記リリースレバーは、前記ロック解除部の端部に前記ロック解除部を兼ねる構造をとり、前記本体部に変形可能に設けられている
ことを特徴とする請求項１に記載のロック解除部材。
【請求項５】
前記ロック解除部は、前記モジュラープラグの抜け止め手段を押し上げるように変形する
ことを特徴とする請求項４に記載のロック解除部材。
【請求項６】
前記ロック解除部と前記リリースレバーが連続して傾斜を形成している
ことを特徴とする請求項１に記載のロック解除部材。
【発明の詳細な説明】
【技術分野】
【０００１】
本発明は、情報処理装置の任意の部位に取り付けることが可能であって、情報処理装置に接続されたモジュールプラグのロックを解除するための機構を有する部材に関するものである。
【背景技術】
【０００２】
一般に情報処理装置を他の情報処理装置とケーブルなどを用いて接続する場合、コネクタとプラグを用いて接続することが行なわれる。このとき、ケーブル側にケーブルプラグを配設すると共に、情報処理装置側にこのケーブルプラグが装着されるコネクタを配設する。
【０００３】
近年、コネクタを内設する情報処理装置の小型化が進むと共に、操作性の向上が図られ、ケーブルプラグも小型化に対応すると共に、操作性の向上が図られるものが提案されている。
【０００４】
一方、近年のブロードバンドの普及に伴って、大量のアクセス側配線を収容し、信号を多重に集線してトランスポート側に送り出す情報処理装置が提供されている。例えば、電話やＬＡＮのケーブルを接続する場合、ＲＪ１１（電話用）、ＲＪ４５（ＬＡＮ用）等のモジュラープラグが使用される。
【０００５】
このモジュラープラグは、電話やＨＵＢ等のネットワーク機器のＬＡＮポート、パッチパネル、ローゼット等、情報処理装置に設けられたモジュラージャックに接続されるようになっている。
【０００６】
この種の接続構造では、モジュラージャックからモジュラープラグが容易に外れないようにするため、モジュラープラグに設けられた係止レバーをモジュラージャックに係合させて、モジュラージャックからのモジュラープラグの抜け出しを防止するロック機構が採用されており、モジュラージャックにモジュラープラグが結合された状態で先端部がモジュラージャックの外部に突出するように係止レバーが延出され、この係止レバーの先端部を指で摘むことで係止レバーのモジュラージャックに対するロック状態が解除されて、モジュラージャックからモジュラープラグを抜き取ることができる。
【０００７】
しかしながら、前記係止レバーによるロック解除方法は、モジュラープラグの抜き差しを頻繁に行なわない据え置き型の装置を前提にして構成されたものであり、操作を行なう係止レバーの先端部が極めて小さいために操作が難しく、モジュラープラグの抜き取りに手間取る場合がおおく、可搬性を重視した情報処理装置では使い勝手を悪化させる不都合があるとして、情報処理装置本体に、係止レバーであるロック解除手段に対する解除の動作を行なわせる操作部を設けたものが提供されていた（特許文献１）。
【先行技術文献】
【特許文献】
【０００８】
【特許文献１】特開２００３−１８７９０６号公報
【発明の概要】
【発明が解決しようとする課題】
【０００９】
しかし、特許文献１の機構は、モジュラープラグのロックを外す機構が情報処理装置の筐体に直接具備されており、筐体ごとに機構設計をする必要があるためコストが増大するというデメリットがあった。
【００１０】
また、位置が固定されてしまうため、様々な種類の情報処理装置あるいは情報処理装置に内蔵される拡張カードのモジュラージャックの位置にあわせて、任意に設けることができず、利便性に欠くものであった。
【００１１】
更に、モジュラープラグのロックを外す機構が破損した際にも情報処理装置の筐体の修理となるため装置そのものを修理にまわす必要があり、作業性が非常に悪いものであった。
【００１２】
本発明は、上述の問題点に鑑みなされたものであり、コストを増大することなく、様々な種類の情報処理装置あるいは情報処理装置に内蔵される拡張カードのモジュラージャックの位置にあわせて、任意に設けることを可能とし、破損した際にも容易に修理することができる情報処理装置に取り付け可能なモジュラープラグのロック解除部材を提供することにある。
【課題を解決するための手段】
【００１３】
本発明の観点は、情報処理装置に取り付けられたモジュラージャックに対するモジュラープラグの抜け出しを不能とする抜け止め手段のロック状態を解除するロック解除部材であって、前記情報処理装置に取り付けるための取付け面を有する本体部と、前記本体部に連続して形成され、前記モジュラープラグの抜け止め手段のロック状態を解除するためのロック解除部と、前記ロック解除部に連続して形成され、前記ロック解除部材を前記情報処理装置から取り外すためのリリースレバーとを有する情報処理装置に取り付け可能なモジュラープラグのロック解除部材である。
【発明の効果】
【００１４】
本発明によれば、コストを増大することなく、様々な種類の情報処理装置あるいは情報処理装置に内蔵される拡張カードのモジュラージャックの位置にあわせて、任意に設けることを可能とし、破損した際にも容易に修理することができる情報処理装置に取り付け可能なモジュラープラグのロック解除部材を提供することが可能となる。
【図面の簡単な説明】
【００１５】
【図１】本発明の第一の実施形態におけるモジュラープラグのロック解除部材の全体を示す斜視図。
【図２】第一の実施形態におけるロック解除部材を情報処理装置に取付けた状態の斜視図。
【図３】第一の実施形態におけるロック解除部材を情報処理装置に取付けた状態を示す断面図。
【図４】第一の実施形態において情報処理装置からモジュラープラグを抜く際にロック解除部材がモジュラージャックの抜け止め手段のロックを解除する状況を示す断面図。
【図５】本発明の第二の実施形態におけるモジュラープラグのロック解除部材の全体を示す斜視図。
【図６】第二の実施形態におけるロック解除部材を情報処理装置に取付けた状態の斜視図。
【図７】第二の実施形態におけるロック解除部材を情報処理装置に取付けた状態を示す断面図。
【図８】第二の実施形態において情報処理装置からモジュラープラグを抜く際にロック解除部材がモジュラージャックの抜け止め手段のロックを解除する状況を示す断面図。
【発明を実施するための形態】
【００１６】
本発明の実施形態を図面を参照して説明する。
＜第一の実施形態＞
図１は、本発明の第一の実施形態におけるモジュラープラグ５のロック解除部材１０の全体を示す斜視図である。また図２は、本発明の第一の実施形態におけるロック解除部材１０を情報処理装置３に取付けた状態の斜視図である。更に、図３は、本発明の第一の実施形態におけるロック解除部材１０を情報処理装置３に取付けた状態を示す断面図である。
【００１７】
本発明は、図２、図３に示すように、パーソナルコンピュータやＩＰ電話等の情報処理装置３に取り付けられたモジュラージャック７に抜き差し可能なモジュラープラグ５の抜け出しを不能とする抜け止め手段６のロック状態を解除するロック解除部材１０に関するものである。
【００１８】
モジュラープラグ５の抜け止め手段６のロック状態を解除するロック解除部材１０は、情報処理装置３に取り付けるための取付け面１２を有する本体部１と、この本体部１に連続して形成され、モジュラープラグ５の抜け止め手段６のロック状態を解除するためのロック解除部２が設けられている。
【００１９】
また、このロック解除部２に連続して、ロック解除部材１０を情報処理装置３から取り外すためのリリースレバー１１が形成されている。
第一の実施形態において、ロック解除部２は、リリースレバー１１を引いてロック解除部材１０を情報処理装置３から取り外す際に、モジュラープラグ５の抜け止め手段６に当接して、モジュラープラグ５のロック状態を解除する構造となっている。具体的には、ロック解除部２は、ロック解除部材１０を情報処理装置３から取り外す際に、モジュラープラグ５の抜け止め手段６を徐々に押し上げるような傾斜が形成されており、これにより抜け止め手段６のロック状態が解除される構造となっている。
【００２０】
第一の実施形態において、リリースレバー１１とロック解除部２は連続して形成されるが、ロック解除部２のみ傾斜しており、リリースレバー１１は本体部１の取付け面１２と平行に形成されている。
【００２１】
また、ロック解除部材１０は、接着剤やその他の方法により、取付け面１２を情報処理装置３に固定することで、情報処理装置３の任意の位置に取付けることが可能となっている。
【００２２】
図３は、情報処理装置３にモジュラージャック７を具備した拡張カード４を接続し、更にこのモジュラージャック７に抜け止め手段６を具備するモジュラープラグ５を挿入した状態で、図２に示した線Ａ−Ａ’の断面で示したものである。
【００２３】
図４は、本発明の第一の実施形態において情報処理装置３からモジュラープラグ５を抜く際にロック解除部材１０がモジュラージャック５の抜け止め手段６のロックを解除する状況を示す断面図である。
【００２４】
図３と図４からわかるように、本実施形態においては、リリースレバー１１を引いてロック解除部材１０を情報処理装置３から取り外される際に、ロック解除部材１０が情報処理装置３の外側方向に、取付け面１２がスライドするように移動して、ロック解除部２がモジュラープラグ５の抜け止め手段６に当接する。
【００２５】
ロック解除部２は、モジュラープラグ５の抜け止め手段６を徐々に押し上げるような傾斜が形成されているため、情報処理装置３の外側方向にスライドする際、抜け止め手段６を上に押し上げて、ロック状態を解除してゆく。
【００２６】
このような構造であるため、抜け止め手段６の周辺に指を入れる空間がなくてもリリースレバー１１を引き出すことにより抜け止め手段６のロックが上に押されてロックが外れ、モジュラープラグ５を容易に抜くことができる。
【００２７】
上述のように、本発明の第一の実施形態によれば、情報処理装置３の筐体を改造することなく、簡単な構造の部材でコストを増大することなく、様々な種類の情報処理装置あるいは情報処理装置に内蔵される拡張カードのモジュラージャックの位置にあわせて、任意に設けることを可能とし、破損した際にも容易に修理することができる情報処理装置に取り付け可能なモジュラープラグのロック解除部材を提供することが可能となる。
【００２８】
次に、本発明の第二の実施形態について図面を参照して説明する。
＜第二の実施形態＞
図５は、本発明の第二の実施形態におけるモジュラープラグのロック解除部材の全体を示す斜視図である。また図６は、本発明の第二の実施形態におけるロック解除部材を情報処理装置に取付けた状態の斜視図である。更に、図７は、本発明の第二の実施形態におけるロック解除部材を情報処理装置に取付けた状態を示す断面図である。
【００２９】
第二の実施形態も図６、図７に示すように、パーソナルコンピュータやＩＰ電話等の情報処理装置３に取り付けられたモジュラージャック７に抜き差し可能なモジュラープラグ５の抜け出しを不能とする抜け止め手段６のロック状態を解除するロック解除部材１０に関するもので、上述の第一の実施形態と構造が異なっている。
【００３０】
第二の実施形態において、モジュラープラグ５の抜け止め手段６のロック状態を解除するロック解除部材８は、情報処理装置３に取り付けるための取付け面を有する本体部８１を有しており、この取付け面８１に連続して、ロック解除部材８を情報処理装置３から取り外すためのリリースレバーと、モジュラープラグ５の抜け止め手段６のロック状態を解除するためのロック解除部とを兼ねたリリースレバー兼ロック解除部８２が形成されている。
【００３１】
また、このリリースレバー兼ロック解除部８２は、本体部８１に弾性変形可能に設けられており、リリースレバー兼ロック解除部８２は、モジュラープラグ５の抜け止め手段６を押し上げるように変形する構造となっている。
【００３２】
更に、このリリースレバー兼ロック解除部８２は、上述の第一の実施形態が、リリースレバー１１とロック解除部２は連続して形成され、ロック解除部２のみ傾斜し、リリースレバー１１は本体部１の取付け面１２と平行に形成されているのと異なり、リリースレバーとロック解除部が連続して傾斜を形成している。
【００３３】
また、ロック解除部材８は、接着剤やその他の方法により、取付け面８２を情報処理装置３に固定することで、情報処理装置３の任意の位置に取付けることが可能となっている。
【００３４】
図７は、情報処理装置３にモジュラージャック７を具備した拡張カード４を接続し、更にこのモジュラージャック７に抜け止め手段６を具備するモジュラープラグ５を挿入した状態で、図６に示した線Ｂ−Ｂ’の断面で示したものである。
【００３５】
図８は、本発明の第二の実施形態において情報処理装置３からモジュラープラグ５を抜く際にロック解除部材８がモジュラージャック５の抜け止め手段６を解除する状態を示す断面図である。
【００３６】
図７と図８からわかるように、本実施形態においては、リリースレバー兼ロック解除部８２を情報処理装置３の上方に弾性変形して持ち上げることによりリリースレバー兼ロック解除部８２がモジュラープラグ５の抜け止め手段６に当接する。
【００３７】
リリースレバー兼ロック解除部８２は、モジュラープラグ５の抜け止め手段６を徐々に押し上げるような傾斜が形成されているため、情報処理装置３の上方に弾性変形して持ち上がる際に、抜け止め手段６を上に押し上げて、ロック状態を解除してゆく。
【００３８】
このような構造であるため、抜け止め手段６の周辺に指を入れる空間がなくてもリリースレバー兼ロック解除部８２を引き上げて抜け止め手段６側に寄せることにより、抜け止め手段６のロックが上に押されてロックが外れ、モジュラープラグ５を容易に抜くことができる。
【００３９】
上述のように、本発明の第二の実施形態によれば、第一の実施形態のように、ロック解除部とリリースレバーを異なる構造にするための製造上のコスト等を削減することが可能となる。また、情報処理装置３の筐体を改造することなく、簡単な構造の部材でコストを増大することなく、様々な種類の情報処理装置あるいは情報処理装置に内蔵される拡張カードのモジュラージャックの位置にあわせて、任意に設けることを可能とし、破損した際にも容易に修理することができる情報処理装置に取り付け可能なモジュラープラグのロック解除部材を提供することが可能となる。
【符号の説明】
【００４０】
１０…モジュラープラグのロック解除部材
１…本体部
２…ロック解除部
１１…リリースレバー
１２…取付け面
３…情報処理装置
４…拡張カード
５…モジュラープラグ
６…抜け止め手段
７…モジュラージャック
８…モジュラープラグのロック解除部材
８１…取付け面を有する本体部
８２…リリースレバー兼ロック解除部
【図１】
2011060652.tif 000003
【図２】
2011060652.tif 000004
【図３】
2011060652.tif 000005
【図４】
2011060652.tif 000006
【図５】
2011060652.tif 000007
【図６】
2011060652.tif 000008
【図７】
2011060652.tif 000009
【図８】
2011060652.tif 000010